(57)【要約】【課題】直管ランプ用のソケットが照明器具本体に対して簡単且つ確実強固に取付支持されるランプソケット取付構造を提供する。【解決手段】直管ランプの端部口金部が着脱自在に嵌合接続されるソケット１を照明器具本体の端部内側でソケット固定板２に取り付けてなるランプソケット取付構造において、ソケット１の背面両側に係止片３を突設し、この両係止片３に対応した間隔でソケット固定板２に対の係止受け孔４を穿設し、一方の係止受け孔４に係止片３を係止させた状態で、この係止部位Ｋを略中心として他方の係止受け孔４に係止される係止片３を回動させることにより、両係止片３を両係止受け孔４に係止固定した。【選択図】　　　　　図１
2004134143.tif 000002
【特許請求の範囲】
【請求項１】
直管ランプの端部口金部が着脱自在に嵌合接続されるソケットを照明器具本体の端部内側でソケット固定板に取り付けてなるランプソケット取付構造であって、ソケットの背面両側に係止片を突設し、この両係止片に対応した間隔でソケット固定板に対の係止受け孔を穿設し、一方の係止受け孔に係止片を係止させた状態で、この係止部位を略中心として他方の係止受け孔に係止される係止片を回動させることにより、両係止片を両係止受け孔に係止固定してなるランプソケット取付構造。
【請求項２】
直管ランプの端部口金部が着脱自在に嵌合接続される略円筒状のソケット嵌合部の外周にソケット基部を突設してソケットが形成され、同ソケット基部の背面両側に係止片を突設したことを特徴とする請求項１記載のランプソケット取付構造。
【請求項３】
ソケットがそのソケット嵌合部とソケット基部とが略水平となる状態から同ソケット嵌合部が下方へ傾くように回動されることで、他方の係止受け孔に係止される係止片が斜め下方へと回動されて、両係止片が両係止受け孔に係止固定されるようになしたことを特徴とする請求項２記載のランプソケット取付構造。
【請求項４】
ソケット基部の背面両側端に背方外側へと略Ｌ字形状に折曲した係止片を突設し、この係止片が係止受け孔の周縁に係止固定されるようになしたことを特徴とする請求項２又は３記載のランプソケット取付構造。
【請求項５】
両係止片を略同形状に形成し、回動中心となる方の係止受け孔をこの係止片が挿入されるように同係止片と略同形状に形成し、他方の係止受け孔を同係止片が挿入される挿入開口部とこの挿入開口部に連続して同係止片が回動される移動開口部とを有するよう同係止片よりも大形状に形成したことを特徴とする請求項１〜４のいずれか一つに記載のランプソケット取付構造。
【請求項６】
ソケットの背面に位置決め凸起を形成し、回動されて両係止片が両係止受け孔に係止固定された状態で、この位置決め凸起が係止される位置決め凹部をソケット固定板に形成し、同位置決め凸起を押圧されることで弾性に抗して引っ込むように突設したことを特徴とする請求項１〜５のいずれか一つに記載のランプソケット取付構造。
【請求項７】
ソケット固定板に当止片を突設し、回動されて両係止片が両係止受け孔に係止固定された状態で、ソケットの外縁端が同当止片で当止されるようになしたことを特徴とする請求項１〜６のいずれか一つに記載のランプソケット取付構造。
【発明の詳細な説明】
【０００１】
【発明の属する技術分野】
本発明は、直管ランプの端部口金部が着脱自在に嵌合接続されるソケットを照明器具本体の端部内側でソケット固定板に取り付けてなるランプソケット取付構造に関するものである。
【０００２】
【従来の技術】
従来から、特開平８−１６７４６１号公報に示される如く、直管ランプの端部口金部が着脱自在に嵌合接続されるソケットを照明器具本体の端部内側でソケット固定板に取り付けるランプソケット取付構造は知られている。この場合、ソケットの背面に弾性を有する係止片を突設し、この係止片をソケット固定板に穿設される係止受け孔に挿入嵌合することにより、このソケット固定板に同ソケットを取着固定するものである。それ故に、この場合、ソケットをソケット固定板に対して簡単に取着固定することができる。
【０００３】
しかしながら、この場合、係止片を弾性変形させて係止受け孔に挿入嵌合させるものであるので、この係止片は弾性変形し易くするために薄肉に形成されており、ソケットを取付支持する強度が低いものとなっている。又、取付支持強度を高めるために係止片を強固なものとすると、この係止片を係止受け孔に挿入嵌合させ難くなって取付作業が困難となる。しかも、係止片を弾性変形し易くするためには、この係止片をソケットの背方へ長く突出させる必要があり、係止受け孔に挿通された同係止片はソケット固定板の背方へ長く突出することになって、このソケット固定板の背方に大きな取付スペースを要するものとなっている。
【０００４】
又、特開２００１−２５０４１７号公報に示される如く、直管ランプの端部口金部が着脱自在に嵌合接続されるソケットを照明器具本体の端部内側でソケット取付台に取り付けるランプソケット取付構造も知られている。この場合、照明器具本体の端部付近の内側にソケット取付台を取着固定し、このソケット取付台の側面部にソケットの背面ではなく側面を結合固着するものである。それ故に、この場合、ソケットを照明器具本体の端部内側でソケット取付台を介し強固に取着固定することができる。
【０００５】
しかしながら、この場合、照明器具本体にソケット取付台を取着固定して、更に、このソケット取付台にソケットを固着しなければならず、取付作業が困難で構造も複雑となって、製造コストの高いものとなっている。しかも、ソケットの背面ではなく側面がソケット取付台に固着されるもの（自立型ソケット）であるため、直管ランプを同ソケットに対して着脱させる際に、このソケットはランプ軸方向の力を受けてその固着基部を中心に振れ動かされることとなり、長期間の使用で同固着基部が破損し易いものとなっている。
【０００６】
【特許文献１】
特開平８−１６７４６１号公報
【０００７】
【特許文献２】
特開２００１−２５０４１７号公報
【０００８】
【発明が解決しようとする課題】
そこで、図１３〜１５に示す如く、ソケット１の背面側をソケット固定板２に対しスライドさせて取着固定するランプソケット取付構造が考えられた。この場合、ソケット１の背面両側に係止片３を突設し、この両係止片３に対応した間隔でソケット固定板２に対の係止受け孔４を穿設し、両係止片３を両係止受け孔４に挿入し下方へスライドさせて係止固定させるものである。
【０００９】
ここで、図１５に示す如く、両係止受け孔４は、各上側に挿入部分となる巾広部、各下側に固定部分となる巾狭部を有し、上下の長さ寸法ｔが等しくて同形状に形成されており、両係止片３は巾広部で挿入されて下方へスライドされ、巾狭部で同両係止受け孔４に係止固定される。更に、ソケット１の背面に位置決め凸起９を形成し、下方へスライドされて両係止片３が両係止受け孔４に係止固定された状態で、この位置決め凸起９が係止される位置決め凹部１０をソケット固定板２に形成してもいる。
【００１０】
それ故に、この場合、両係止片３を両係止受け孔４に挿入してソケット１を下方へスライドさせるだけで、このソケット１をソケット固定板２に対して簡単に取着固定することができ、その際、両係止片３は弾性を必要とせず強固に形成されて取付支持強度が保持される。しかも、ソケット１にかかるランプ軸方向の力がその背面側のソケット固定板２で受けられて、同ソケット１はランプ軸方向に振れ動き難く、その取着固定部分での破損が防止される。
【００１１】
又、この場合、係止片３が下方へスライドされることで係止受け孔４の周縁に係止固定されるものであるため、同係止片３はソケット固定板２の背方へ長く突出しないものとして形成されており、このソケット固定板２の背方に大きな取付スペースを要しない。更に、位置決め凸起９が位置決め凹部１０に係止されて、ソケット１はソケット固定板２に対して正確な位置で取着固定される。
【００１２】
しかしながら、この場合、両係止受け孔４が共に上下方向に長い長孔（同じ寸法ｔ）として大きく形成されるので、ソケット固定板２の強度は低下し、ソケット１を支持する強度が十分には確保されない。又、両係止片３を両係止受け孔４に挿入した状態で直線的に揃えてスライドさせることは困難で、その際のソケット１、ソケット固定板２間での摩擦抵抗も大きくなって、同ソケット１の取付作業が十分に簡単であるとは言い難いものである。
【００１３】
本発明は、上記従来の技術における問題を悉く解決するために発明されたもので、その課題は、直管ランプ用のソケットが照明器具本体に対して簡単且つ確実強固に取付支持されるランプソケット取付構造を提供することである。
【００１４】
【課題を解決するための手段】
本発明の請求項１記載のランプソケット取付構造は、直管ランプの端部口金部が着脱自在に嵌合接続されるソケットを照明器具本体の端部内側でソケット固定板に取り付けてなるランプソケット取付構造であって、ソケットの背面両側に係止片を突設し、この両係止片に対応した間隔でソケット固定板に対の係止受け孔を穿設し、一方の係止受け孔に係止片を係止させた状態で、この係止部位を略中心として他方の係止受け孔に係止される係止片を回動させることにより、両係止片を両係止受け孔に係止固定してなる。
【００１５】
したがって、この場合、ソケットの背面両側に係止片が突設され、この両係止片に対応した間隔でソケット固定板には対の係止受け孔が穿設されており、このソケットを照明器具本体の端部内側で同ソケット固定板に取り付けるに際し、一方の係止受け孔に係止片を係止させた状態で、この係止部位を略中心として他方の係止受け孔に係止される係止片を回動させることにより、両係止片は両係止受け孔に係止固定される。それ故、直管ランプ用のソケットが照明器具本体のソケット固定板に対して簡単且つ確実強固に取付支持される。
【００１６】
すなわち、両係止片を両係止受け孔に挿入した後は、一方の係止片と係止受け孔との係止部位を略中心としてソケットを回動させることで、両係止片が両係止受け孔に係止固定され、その際、両係止片は平行移動されるより回転移動される方が容易に動作され、しかも、同ソケットの背面とソケット固定板との相互間での摺接面積は小さくなって摩擦抵抗が低減される。それ故、ソケットはソケット固定板に対して簡単に取り付けられ、同ソケットが回動されて取り付けられるので、そのためのスペースも小さくなる。
【００１７】
又、前記回動中心となる方の係止受け孔は係止片を移動させるために長く形成されることがなくなり、ソケット固定板は同係止受け孔が小さくなって強固なものとなり、しかも、前記係止片は弾性変形する必要がなく強固なものとして形成される。それ故、ソケットはソケット固定板に対して確実強固に支持される。更に、ソケットは直管ランプ用であり、ランプ交換時等にランプ軸方向の力が同ソケットにかかっても、このソケットの背面側のソケット固定板で受けられて破損は防止される。
【００１８】
本発明の請求項２記載のランプソケット取付構造は、上記請求項１記載のランプソケット取付構造において、直管ランプの端部口金部が着脱自在に嵌合接続される略円筒状のソケット嵌合部の外周にソケット基部を突設してソケットが形成され、同ソケット基部の背面両側に係止片を突設したことを特徴とする。
【００１９】
したがって、この場合は特に、略円筒状のソケット嵌合部の外周にソケット基部が突設されてソケットは形成され、同ソケット基部の背面両側に係止片が突設されるので、このソケット基部側を中心側とし同ソケット嵌合部側を移動側として同ソケットを回動させることができ、比較的小さなモーメント力で回動させて両係止片を両係止受け孔に係止固定することができ、その際、電源供給の配線側となる同ソケット基部の移動も少なくなる。
【００２０】
本発明の請求項３記載のランプソケット取付構造は、上記請求項２記載のランプソケット取付構造において、ソケットがそのソケット嵌合部とソケット基部とが略水平となる状態から同ソケット嵌合部が下方へ傾くように回動されることで、他方の係止受け孔に係止される係止片が斜め下方へと回動されて、両係止片が両係止受け孔に係止固定されるようになしたことを特徴とする。
【００２１】
したがって、この場合は特に、ソケット基部とソケット嵌合部とが略水平となる状態からこのソケット嵌合部が下方へ傾くようにソケットは回動され、移動側の係止片が斜め下方へと回動されて係止受け孔に係止固定されるので、この係止受け孔に対して同移動側の係止片は、同ソケットやこれに接続保持される直管ランプ等の重力によって、斜め上方へ抜け外れないよう確実に係止固定される。
【００２２】
本発明の請求項４記載のランプソケット取付構造は、上記請求項２又は３記載のランプソケット取付構造において、ソケット基部の背面両側端に背方外側へと略Ｌ字形状に折曲した係止片を突設し、この係止片が係止受け孔の周縁に係止固定されるようになしたことを特徴とする。
【００２３】
したがって、この場合は特に、係止片が略Ｌ字形状でソケット基部の背面両側端から背方外側へと突出するので、同係止片を係止受け孔に目視しながら容易に挿入することができ、しかも、同係止片と係止受け孔との係止部位が両側に間隔をあけて配置されることになるため、ソケットはソケット固定板に対して安定した状態で取着固定される。
【００２４】
本発明の請求項５記載のランプソケット取付構造は、上記請求項１〜４のいずれか一つに記載のランプソケット取付構造において、両係止片を略同形状に形成し、回動中心となる方の係止受け孔をこの係止片が挿入されるように同係止片と略同形状に形成し、他方の係止受け孔を同係止片が挿入される挿入開口部とこの挿入開口部に連続して同係止片が回動される移動開口部とを有するよう同係止片よりも大形状に形成したことを特徴とする。
【００２５】
したがって、この場合は特に、係止片と略同形状に形成された係止受け孔で同係止片が大きくずれ動くことなく回動され、このずれ動き難い係止部位を回動中心として、他方の係止片は他方の係止受け孔の挿入開口部から移動開口部へとスムーズに回動され、この移動開口部の端縁にて確実に係止固定される。
【００２６】
本発明の請求項６記載のランプソケット取付構造は、上記請求項１〜５のいずれか一つに記載のランプソケット取付構造において、ソケットの背面に位置決め凸起を形成し、回動されて両係止片が両係止受け孔に係止固定された状態で、この位置決め凸起が係止される位置決め凹部をソケット固定板に形成し、同位置決め凸起を押圧されることで弾性に抗して引っ込むように突設したことを特徴とする。
【００２７】
したがって、この場合は特に、ソケットが回動されて両係止片が両係止受け孔に係止固定された状態で、同ソケット背面に形成された位置決め凸起がソケット固定板に形成された位置決め凹部に係止されるので、このソケットは同ソケット固定板に対して正確な位置で取着固定される。しかも、位置決め凸起は押圧されることで弾性に抗し引っ込むように突設されているので、ソケットが回動される際、このソケットの背面で同位置決め凸起は押圧され弾性に抗して引っ込み、抵抗少なく且つ同弾性によりがたつかないよう安定した状態で同ソケットがスムーズに回動される。
【００２８】
本発明の請求項７記載のランプソケット取付構造は、上記請求項１〜６のいずれか一つに記載のランプソケット取付構造において、ソケット固定板に当止片を突設し、回動されて両係止片が両係止受け孔に係止固定された状態で、ソケットの外縁端が同当止片で当止されるようになしたことを特徴とする。
【００２９】
したがって、この場合は特に、ソケットが回動されて両係止片が両係止受け孔に係止固定された状態で、ソケット固定板に突設された当止片に同ソケットの外縁端が当止されるので、このソケットは同ソケット固定板に対して所定位置でより確実強固に取着固定される。
【００３０】
【発明の実施の形態】
図１〜１２は、本発明の請求項１〜７全てに対応した一実施形態であるランプソケット取付構造を示している。このランプソケット取付構造は、図３に示す如く、直管ランプＬの端部口金部Ｌ１が着脱自在に嵌合接続されるソケット１を照明器具本体Ｈの端部内側でソケット固定板２に取り付けてなる。そして、図１、２に示す如く、ソケット１の背面両側に係止片３を突設し、この両係止片３に対応した間隔でソケット固定板２に対の係止受け孔４を穿設し、一方の係止受け孔４に係止片３を係止させた状態で、この係止部位Ｋを略中心として他方の係止受け孔４に係止される係止片３を回動させることにより、両係止片３を両係止受け孔４に係止固定してなる。
【００３１】
又、この実施形態のランプソケット取付構造では、直管ランプＬの端部口金部Ｌ１が着脱自在に嵌合接続される略円筒状のソケット嵌合部５の外周にソケット基部６を突設してソケット１が形成され、同ソケット基部６の背面両側に係止片３を突設している。
【００３２】
この場合、図１に示す如く、ソケット１がそのソケット嵌合部５とソケット基部６とが略水平となる状態から同ソケット嵌合部５が下方へ傾くように回動されることで、図２に示す如く、他方の係止受け孔４に係止される係止片３が斜め下方へと回動されて、両係止片３が両係止受け孔４に係止固定されるようになしている。更には、ソケット基部６の背面両側端に背方外側へと略Ｌ字形状に折曲した係止片３を突設し、この係止片３が係止受け孔４の周縁に係止固定されるようにもなしている。
【００３３】
又、この場合に、両係止片３を略同形状に形成し、回動中心となる方の係止受け孔４をこの係止片３が挿入されるように同係止片３と略同形状に形成し、他方の係止受け孔４を同係止片３が挿入される挿入開口部７とこの挿入開口部７に連続して同係止片３が回動される移動開口部８とを有するよう同係止片３よりも大形状に形成している。
【００３４】
又、ソケット１の背面に位置決め凸起９を形成し、回動されて両係止片３が両係止受け孔４に係止固定された状態（図２の状態）で、この位置決め凸起９が係止される位置決め凹部１０をソケット固定板２に形成しており、同位置決め凸起９を押圧されることで弾性に抗して引っ込むように突設している。更には、ソケット固定板２に当止片１１を突設し、回動されて両係止片３が両係止受け孔４に係止固定された状態（図２の状態）で、ソケット１の外縁端が同当止片１１で当止されるようにもなしている。
【００３５】
以下、この実施形態のランプソケット取付構造を、より詳細に説明する。この実施形態のランプソケット取付構造では、照明器具が天井面内に施工される埋め込み型のものである。そして、図３に示す如く、照明器具本体Ｈは下方に開口した横長矩形状の箱型であり、その内部に二本の直管ランプＬが長手方向に沿って並設収容される。直管ランプＬはその両端に端部口金部Ｌ１が配設された細長い蛍光灯であり、両端部口金部Ｌ１がソケット１に各々嵌合接続されて照明器具本体Ｈ内に設置され、同ソケット１に着脱させることで取り替えられるものである。
【００３６】
照明器具本体Ｈの両端にはエンドカバー１２が配設されており、両エンドカバー１２の内側部分にはソケット固定板２が形成され、このソケット固定板２の内側面にソケット１が取着固定される。両ソケット１はソケット固定板２の両側対称位置に配設されており、図４、５にも示す如く、照明器具本体Ｈの中程にセンター反射板１３ａ、両側にサイド反射板１３ｂが配設固定されている。又、センター反射板１３ａの裏側にはインバータ１４が収容設置されており、このインバータ１４等の点灯機器とソケット１のソケット基部６とは配線により電気的に接続される。
【００３７】
照明器具本体Ｈの両端に配設されるのエンドカバー１２の一方のソケット固定板２には可動側のソケット１が取着固定され（図３向かって左側）、他方のソケット固定板２には固定側のソケット１が取着固定される（図３向かって右側）。可動側のソケット１を図６〜１０に示し、固定側のソケット１を図１１、１２に示している。
【００３８】
図６〜１０に示す如く、可動側のソケット１は略円筒状のソケット嵌合部５の外周にソケット基部６を突設して形成されており、同ソケット嵌合部５には出没可能なプランジャ１５が弾発付勢されて突出され、同ソケット基部６の端面には対の電線挿入孔１６が穿設され、このソケット基部６の背面両側端に背方外側へと略Ｌ字形状に折曲した係止片３が配置突設されている。そして、直管ランプＬの一方の端部口金部Ｌ１をプランジャ１５に嵌合接続させてこれを押し込んだ状態で、後記固定側のソケット１のソケット嵌合部５に同直管ランプＬの他方の端部口金部Ｌ１を嵌合接続することができる。
【００３９】
可動側のソケット１の内部には、前記プランジャ１５の他、端子カバー１７、接触子１８、対のコイルスプリング１９、対の連結端子２０を有する導電板２１、等の部材が収容設置され、背面カバー２２によって同内部の空間は閉塞される。この場合、前記電線挿入孔１６から挿入される電線は、端子カバー１７を通して導電板２１の連結端子２０に接続される。又、ソケット嵌合部５に嵌合接続される直管ランプＬの端部口金部Ｌ１に突設された端子は、接触子１８、コイルスプリング１９等を介して導電板２１と電気的に接続される。
【００４０】
可動側のソケット１の背面に嵌着固定される前記背面カバー２２は合成樹脂にて形成されたもので、そのソケット嵌合部５側の周縁付近に位置決め凸起９が突設されている。ここでは、三辺周囲にスリットを形成することで背面カバー２２に弾性片部２３が設けられ、この弾性片部２３の表面に位置決め凸起９を一体に突出形成している。位置決め凸起９は、押圧されることで弾性片部２３の弾性に抗して背面カバー２２の裏側へ引っ込むものであり、押圧が解除されると同弾性片部２３の弾性復元力によって表側へ突出される。
【００４１】
図１１、１２に示す如く、固定側のソケット１も略円筒状のソケット嵌合部５の外周にソケット基部６を突設して形成されており、プランジャ１５が設けられない点及びコイルスプリング１９が短く形成される点を除けば、前記可動側のソケット１と同様に構成されているので、ここではその詳細な説明を省略する。この固定側のソケット１のソケット嵌合部５には、直管ランプＬの一方の端部口金部Ｌ１を前記可動側のソケット１のプランジャ１５に嵌合接続させてこれを押し込んだ状態で、同直管ランプＬの他方の端部口金部Ｌ１が嵌合接続される。
【００４２】
そして、可動側及び固定側のソケット１はいずれも、図１、２に示す如く、ソケット固定板２に対して同ソケット１を矢印方向に回動させることで取着固定される。この場合、まず、図１（ｂ）に示す如く、ソケット１を若干斜めにしながら回動中心となる下側の係止片３を係止受け孔４に挿入した後、上側の係止片３を係止受け孔４の挿入開口部７に挿入する。
【００４３】
次に、図１（ａ）に示す如く、下側の係止片３と係止受け孔４との係止部位Ｋを略中心としてソケット１を矢印方向に回動させると、図２に示す如く、同下側の係止片３が係止受け孔４の周縁に係止固定されると共に、上側の係止片３が係止受け孔４の挿入開口部７から移動開口部８へと斜め下方へと回動してこの移動開口部８の周端縁に係止固定される。
【００４４】
ソケット１が回動されている際、このソケット１の背面はソケット固定板２の表面に摺接されるが、ここでは、その摺接面積が略扇形状となって図１５に示した従来例では略長方形状となるのに比して小さくなり、その際の摩擦抵抗は低減される。しかも、位置決め凸起９は弾性片部２３と共に引っ込み、この弾性片部２３の弾性復元力により同位置決め凸起９がソケット固定板２の表面に弾性的に摺接して、ソケット１は安定した状態でスムーズに回動される。
【００４５】
そして、図２に示す如く、両係止片３が両係止受け孔４に係止固定されてソケット１の回動が停止されると、前記位置決め凸起９がソケット固定板２の位置決め凹部１０に係止され、このソケット固定板２に突設される当止片１１に同ソケット１のソケット基部６の外縁端が当止される。この場合、ソケット１が回動される上下方向での寸法範囲Ｔは小さく、照明器具本体Ｈを薄型にしてその内部に同ソケット１をコンパクトに収容設置することができる。又、位置決め凹部１０がソケット固定板２に貫通孔を穿設して形成され、当止片１１は同ソケット固定板２に切り起こし加工を施して形成されている。
【００４６】
なお、前記位置決め凹部１０は、ソケット固定板２を貫通することなく凹ませて形成されても良いものであり、又、前記当止片１１は、弾性変形可能なものであって、ソケット１が回動される際にはこのソケット１の背面に対して弾性的に摺接されるものであるが、同ソケット１を回動させた後に塑性変形されて後加工で突設されるものであっても良いものである。又、この実施形態のランプソケット取付構造では、ソケット１のソケット嵌合部５及びソケット基部６の外殻部分が合成樹脂にて一体に形成され、ソケット固定板２は金属薄板で形成されている。
【００４７】
したがって、この実施形態のランプソケット取付構造においては、ソケット１の背面両側に係止片３が突設され、この両係止片３に対応した間隔でソケット固定板２には対の係止受け孔４が穿設されており、このソケット１を照明器具本体Ｈの端部内側で同ソケット固定板２に取り付けるに際し、一方の係止受け孔４に係止片３を係止させた状態で、この係止部位Ｋを略中心として他方の係止受け孔４に係止される係止片３を回動させることにより、両係止片３は両係止受け孔４に係止固定される。それ故、直管ランプＬ用のソケット１が照明器具本体Ｈのソケット固定板２に対して簡単且つ確実強固に取付支持される。
【００４８】
すなわち、両係止片３を両係止受け孔４に挿入した後は、一方の係止片３と係止受け孔４との係止部位Ｋを略中心としてソケット１を回動させることで、両係止片３が両係止受け孔４に係止固定され、その際、両係止片３は平行移動される（図１５に示した従来例）より回転移動される方が容易に動作され、しかも、同ソケット１の背面とソケット固定板２との相互間での摺接面積は小さくなって摩擦抵抗が低減される。それ故、ソケット１はソケット固定板２に対して簡単に取り付けられ、同ソケット１が回動されて取り付けられるので、そのためのスペースも小さくなる。
【００４９】
又、前記回動中心となる方の係止受け孔４は係止片３を移動させるために長く形成されることがなくなり、ソケット固定板２は同係止受け孔４が小さくなって強固なものとなると共に、前記係止片３は弾性変形する必要がなく強固なものとして形成されている。それ故、ソケット１はソケット固定板２に対し確実強固に支持される。更に、ソケット１は直管ランプＬ用であり、ランプ交換時等にランプ軸方向の力が同ソケット１にかかっても、このソケット１の背面側のソケット固定板２で受けられて破損は防止される。
【００５０】
又、この実施形態のランプソケット取付構造においては、略円筒状のソケット嵌合部５の外周にソケット基部６が突設されてソケット１は形成され、同ソケット基部６の背面両側に係止片３が突設されるので、このソケット基部６側を中心側とし同ソケット嵌合部５側を移動側として同ソケット１を回動させることができ、比較的小さなモーメント力で回動させて両係止片３を両係止受け孔４に係止固定することができ、その際、電源供給の配線側となる同ソケット基部６の移動も少なくなる。
【００５１】
しかも、この場合に、ソケット基部６とソケット嵌合部５とが略水平となる状態からこのソケット嵌合部５が下方へ傾くようにソケット１は回動され、移動側の係止片３が斜め下方へと回動されて係止受け孔４に係止固定されるので、この係止受け孔４に対して同移動側の係止片３は、同ソケット１やこれに接続保持される直管ランプＬ等の重力によって、斜め上方へ抜け外れないよう確実に係止固定される。
【００５２】
更に、この場合に、係止片３が略Ｌ字形状でソケット基部６の背面両側端から背方外側へと突出するので、同係止片３を係止受け孔４に正面側から目視しながら容易に挿入することができ、しかも、同係止片３と係止受け孔４との係止部位が両側に間隔をあけて配置されることになるため、ソケット１はソケット固定板２に対して安定した状態で取着固定される。
【００５３】
又、この実施形態のランプソケット取付構造においては、係止片３と略同形状に形成された係止受け孔４で同係止片３が大きくずれ動くことなく回動され、このずれ動き難い係止部位Ｋを回動中心として、他方の係止片３は他方の係止受け孔４の挿入開口部７から移動開口部８へとスムーズに回動され、この移動開口部８の端縁にて確実に係止固定される。
【００５４】
又、この実施形態のランプソケット取付構造において、ソケット１が回動されて両係止片３が両係止受け孔４に係止固定された状態では、同ソケット１背面に形成された位置決め凸起９がソケット固定板２に形成された位置決め凹部１０に係止されるので、このソケット１は同ソケット固定板２に対して正確な位置で取着固定される。しかも、位置決め凸起９は押圧されることで弾性に抗し引っ込むように突設されているので、ソケット１が回動される際、このソケット１の背面で同位置決め凸起９は押圧され弾性に抗して引っ込み、抵抗少なく且つ同弾性によりがたつかないよう安定した状態で同ソケット１がスムーズに回動される。
【００５５】
又、この実施形態のランプソケット取付構造において、ソケット１が回動されて両係止片３が両係止受け孔４に係止固定された状態では、ソケット固定板２に突設された当止片１１に同ソケット１の外縁端が当止されるので、このソケット１は同ソケット固定板２に対して所定位置でより確実強固に取着固定される。
【００５６】
【発明の効果】
上述の如く、本発明の請求項１記載のランプソケット取付構造においては、ソケットが回動されることで摩擦抵抗少なくソケット固定板に対して簡単に取り付けられ、そのためのスペースも小さくなる。しかも、ソケット固定板は一方の係止受け孔が小さくなって強固となり、係止片も弾性変形を要さず強固に形成されて、ソケットは同ソケット固定板に対して確実強固に支持される。更には、ソケットにランプ軸方向の力がかかっても、その背面側のソケット固定板で受けられて同ランプ軸方向の力による破損は防止される。
【００５７】
又、本発明の請求項２記載のランプソケット取付構造においては、特に、ソケットを比較的小さなモーメント力で回動させて両係止片を両係止受け孔に係止固定することができ、その際、配線側となるソケット基部の移動も少なくなる。
【００５８】
又、本発明の請求項３記載のランプソケット取付構造においては、特に、移動側の係止片が係止受け孔に対し、ソケットやこれに接続保持される直管ランプ等の重力によって、斜め上方へ抜け外れないよう確実に係止固定される。
【００５９】
又、本発明の請求項４記載のランプソケット取付構造においては、特に、係止片を係止受け孔に目視しながら容易に挿入することができ、同係止片と係止受け孔との係止部位は両側に間隔をあけて配置されることにもなって、ソケットがソケット固定板に対して安定した状態で取着固定される。
【００６０】
又、本発明の請求項５記載のランプソケット取付構造においては、特に、ずれ動き難い一方の係止部位を回動中心として、他方の係止片が他方の係止受け孔の挿入開口部から移動開口部へとスムーズに回動され、この移動開口部の端縁にて確実に係止固定される。
【００６１】
又、本発明の請求項６記載のランプソケット取付構造においては、特に、位置決め凸起が位置決め凹部に係止されて、ソケットはソケット固定板に対して正確な位置で取着固定され、しかも、この位置決め凸起が弾性に抗し引っ込んで、同ソケットは抵抗少なく安定した状態でスムーズに回動される。
【００６２】
又、本発明の請求項７記載のランプソケット取付構造においては、特に、ソケットの外縁端が当止片に当止されて、同ソケットはソケット固定板に対して所定位置でより確実強固に取着固定される。
【図面の簡単な説明】
【図１】本発明の一実施形態であるランプソケット取付構造において、取付作業の際にソケットが略水平となる状態の要部を示し、（ａ）はその概略正面図、（ｂ）は（ａ）におけるＡ矢視図。
【図２】同ランプソケット取付構造において、ソケットが回動されて傾斜した取付状態の要部を示し、（ａ）はその概略正面図、（ｂ）は（ａ）におけるＡ矢視図。
【図３】同ランプソケット取付構造が備わった照明器具全体を示す底面図。
【図４】図３におけるＸ−Ｘ断面図。
【図５】図４におけるＹ−Ｙ断面図。
【図６】同ランプソケット取付構造における可動側のソケットを示す斜め前方からみた斜視図。
【図７】同可動側のソケットを示す斜め背方からみた斜視図。
【図８】同可動側のソケットを示す分解斜視図。
【図９】同可動側のソケットを示し、（ａ）その正面図、（ｂ）はその側面図、（ｃ）はその背面図。
【図１０】図９（ｃ）におけるＺ−Ｚ断面図。
【図１１】同ランプソケット取付構造における固定側のソケットを示す斜め前方からみた斜視図。
【図１２】同固定側のソケットを示す分解斜視図。
【図１３】従来例であるランプソケット取付構造を示す要部縦断面図。
【図１４】同ランプソケット取付構造におけるソケットを示す正面図。
【図１５】同ランプソケット取付構造におけるソケット固定板を示す正面図。
【符号の説明】
１　ソケット
２　ソケット固定板
３　係止片
４　係止受け孔
５　ソケット嵌合部
６　ソケット基部
７　挿入開口部
８　移動開口部
９　位置決め凸起
１０　位置決め凹部
１１　当止片
Ｌ　直管ランプ
Ｌ１　端部口金部
Ｌ２　端部口金部
Ｈ　照明器具本体
Ｋ　係止部位
【図１】
2004134143.tif 000003
【図２】
2004134143.tif 000004
【図３】
2004134143.tif 000005
【図４】
2004134143.tif 000006
【図５】
2004134143.tif 000007
【図６】
2004134143.tif 000008
【図７】
2004134143.tif 000009
【図８】
2004134143.tif 000010
【図９】
2004134143.tif 000011
【図１０】
2004134143.tif 000012
【図１１】
2004134143.tif 000013
【図１２】
2004134143.tif 000014
【図１３】
2004134143.tif 000015
【図１４】
2004134143.tif 000016
【図１５】
2004134143.tif 000017